(57)【要約】【課題】突張型及び自立型の両方の設置形態にこれ一つで対応することのできる愛玩動物用ゲートを提供する。【解決手段】幅寸法が設置箇所における通行幅と略同じか若しくは僅かに狭く形成されるとともに、両側端部に取付孔２１及びねじ孔２２がそれぞれ設けられたゲート本体２と、ねじ部３１の他端がゲートの取付孔２１に着脱可能に挿入され調整ハンドル３３を回転させて廊下の対向壁間や出入口の枠間で突っ張ることによりゲート本体２を起立状態で保持する突張具３と、ゲート本体２の両側端部にねじ孔２２を介して着脱可能に設けられ、ゲート本体２を床面上で自立させる自立具４とを備え、ゲートの設置態様が、突張具３による起立状態と自立具４による自立状態のいずれかから選択可能とされたことを特徴とする。【選択図】  図１
2007151915.tif 000002
【特許請求の範囲】
【請求項１】
家屋内の廊下や部屋の出入口に設置され、幼児や愛玩動物の通行を遮断するゲートにおいて、
幅寸法が、前記設置箇所における通行幅と略同じか若しくは僅かに狭く形成されたゲート本体と、
このゲート本体の両側端部に着脱可能に設けられ、前記廊下の対向壁間や出入口の枠間で突っ張ることによりゲート本体を起立状態で保持する突張具と、
前記ゲート本体の適所に着脱可能に設けられ、ゲート本体を床面上で自立させる自立具とを備え、
前記ゲートの設置態様が、前記突張具による起立状態と前記自立具による自立状態のいずれかから選択可能とされたことを特徴とするゲート。
【請求項２】
前記ゲート本体は、その長手方向に伸縮可能とされたことを特徴とする請求項１に記載のゲート。
【発明の詳細な説明】
【技術分野】
【０００１】
本発明は、家屋内の廊下や部屋の出入口に設置され、幼児や愛玩動物の通行を遮断するゲートに関する。
【背景技術】
【０００２】
従来から、家屋内において、台所や階段など、幼児や愛玩動物にとって危険な場所や侵入が好ましくない場所に幼児などが近づくのを防止するため、これらの場所に通じる通路の通行を遮断するためのゲートが種々提案されている。
【０００３】
このようなゲートとしては、設置箇所の通行幅より幅寸法が僅かに狭く形成されたゲート本体と、このゲート本体の両側端部に設けられ、廊下の対向壁間や出入口の枠間で突っ張ることによりゲート本体を起立状態で保持する突張具とからなる突張型のゲートが一般的であり、例えば特許文献１に提案されているものがある。この突張型のゲートは、廊下の対向壁間などを突っ張ることで設置箇所にしっかりと固定できるので、幼児や愛玩動物の通行を確実に遮断でき安全を確保することができる。
【０００４】
ところで、和室に愛玩動物が侵入した場合、爪によって畳の表面を傷めてしまうことがあるため、和室の出入口にゲートを設置することが望まれる。ここで、和室の出入口は、上部の鴨居、下部の敷居、および、側方の２本の柱によって開口部が形成され、引き違いの障子や襖がその開口部に摺動自在に取り付けられた構造となったものが一般的である。この和室の出入口に突張型のゲートを設置するには、障子や襖を開放した状態で、障子や襖の側端部と開口部の側方の柱とでゲートを突っ張って設置する必要がある。しかしながら、障子や襖は、側端部の強度が弱いだけでなく、開口部から比較的容易に外れてしまう構造であるので、突張型のゲートは、和室の出入口にしっかりと固定することができず、一定の力が負荷されただけで外れたり倒れたりして危険であった。
【０００５】
また、愛玩動物が玄関の土間に下りたり、また、玄関口から外に逃げ出したりすることを防ぐため、玄関の上がり口へのゲートの設置が望まれる。この玄関の上がり口は、廊下などの通路よりも対向壁の間隔が広い場合が多いため、このような場所に突張型のゲートを設置するには、ゲート本体の幅寸法を大きくすることが考えられる。しかしながら、ゲート本体の幅寸法が大きいと、突張型のゲートを玄関の上がり口の対向壁間に設置した場合、一定の力が負荷されただけで、対向壁間から外れて倒れてしまう虞があるため危険であった。
【０００６】
従って、上述したような和室の出入口や玄関の上がり口などには、自立型のゲートが用いられている。この自立型のゲートは、設置箇所の通行幅と幅寸法が略同じに形成されたゲート本体と、このゲート本体の適所に設けられ、ゲート本体を床面上で自立させる自立具とを備えたものである。この自立型のゲートは、床面上に据え置くだけでほとんどの場所に設置することができる。
【特許文献１】特開２０００−２４５５８３号公報
【発明の開示】
【発明が解決しようとする課題】
【０００７】
しかしながら、従来のゲートにあっては、突張型のものも自立型のものもそれぞれ使用形態が単一に限られているため、突張型のものを自立型として流用したりすることができず、またその逆も同様に行うことはできなかった。このため、引越しや増改築などで家屋の間取りが変わってしまった場合や、ゲートのタイプを変更したい場合には、それまで使用していたタイプのゲートが使用できないことから、もう一つ余分にゲートを購入する必要が生じ、経済的ではなかった。
【０００８】
また、自立型のゲートは床面上に据え置くだけの構造であるので、突張型のゲートを設置する箇所に自立型のゲートを設置することも考えられるが、自立型のゲートは設置場所に固定できる構造とはなっておらず、このため容易に動いてしまうことから、突張型のゲートに比べると幼児や愛玩動物の通行を確実に遮断することができない。したがって、ゲートの確実な固定が望まれる設置場所には、自立型のゲートではなく突張型のゲートを設置せざるを得ず、結局はゲートを新たに購入する必要があり経済的ではなかった。
【０００９】
本発明は係る実情に鑑みてなされたもので、その目的は、突張型及び自立型の両方の設置形態にこれ一つで対応することのできるゲートを提供することにある。
【課題を解決するための手段】
【００１０】
上記課題を解決するため、本発明のゲートは、家屋内の廊下や部屋の出入口に設置され、幼児や愛玩動物の通行を遮断するゲートにおいて、幅寸法が、前記設置箇所における通行幅と略同じか若しくは僅かに狭く形成されたゲート本体と、このゲート本体の両側端部に着脱可能に設けられ、前記廊下の対向壁間や出入口の枠間で突っ張ることによりゲート本体を起立状態で保持する突張具と、前記ゲート本体の適所に着脱可能に設けられ、ゲート本体を床面上で自立させる自立具とを備え、前記ゲートの設置態様が、前記突張具による起立状態と前記自立具による自立状態のいずれかから選択可能とされたことを特徴とする。
【００１１】
このような本発明によると、突張具による起立状態と自立具による自立状態とのいずれかの設置状態が選択可能とされたものであるから、廊下、階段の上り口、または、洋室の出入口など対向壁や出入口の枠がしっかりしている場所にゲートを設置する場合、突張具による起立状態とし、また、和室の出入口や玄関など突っ張ることが困難な場所にゲートを設置する場合、自立具による自立状態とすることができる。
【００１２】
従って、家屋内の様々な場所にゲートを設置することができる。
【００１３】
また、このゲートは、設置態様を起立状態または自立状態として設置していた場合でも、もう一方の状態に変更して流用するといったことが可能であるので、従来のゲートとは異なり、設置形態の変更に伴って新たなゲートを購入する必要がなくその分経済的である。
【００１４】
また、ゲート本体は、長手方向に伸縮自在とされたものであってもよい。
【００１５】
この場合、家屋内の廊下や部屋の出入口の幅に応じてゲート本体を長手方向に伸縮させて調節することができるので、様々な幅の廊下や部屋の出入口にゲートを対応させて設置することができる。
【発明の効果】
【００１６】
本発明のゲートは、突張型又は自立型のいずれの設置形態でも任意に選択することができるため、家屋内の廊下や部屋の出入口に、望まれる設置形態で設置することができるといった効果を奏する。
【発明を実施するための最良の形態】
【００１７】
以下、本発明の実施の形態について、図面を参照して説明する。
【００１８】
図１および図２は、本実施の形態におけるゲートの突張具による起立状態および自立具による自立状態をそれぞれ示す斜視図である。
【００１９】
本実施の形態のゲートは、ゲート本体２と、突張具３と、自立具４とを備えている。
【００２０】
上記ゲート本体２は、図３に示すように、幅寸法が、設置箇所における通行幅と略同じか若しくは僅かに狭く形成されたものである。ゲート本体２の形態としては、幼児や愛玩動物が通り抜けないようにされていれば特に限定するものではなく、例えば、板状のもの、格子状のもの、または、それらを組み合わせたものなどがあげられ、また、扉が設けられていてもよい。また、ゲート本体２の材質としては、特に限定するものではなく、例えば、木、プラスチック、金属をそれぞれ単体で用いたものやそれらを組み合わせたものなどを用いることができる。
【００２１】
また、ゲート本体２は、長手方向に伸縮自在な構造とされることが好ましく、この場合、家屋内の様々な通路や出入口の幅にゲートを対応させることができる。ゲート本体２の伸縮機構としては、特に限定するものではなく、例えば、図３に示すように、ゲート本体２を２個の分割体２ａ，２ｂで構成し、これらの分割体２ａ，２ｂをずらした状態で重ね合わせてビス２３で固定したもの、または、２個又は３個以上の分割体を相互にスライド自在に連結したものなどがあげられる。なお、図中の符号２４は、一方の分割体２ａに形成されたビス挿通孔を、また２５は、他方の分割体２ｂに形成された、ビス２３と螺合するねじ孔をそれぞれ示す。
【００２２】
さらに、ゲート本体２には、後述する突張具３や自立具４を取り付けるために、突張具３のねじ部３１が摺動自在に挿入できる取付孔２１や、内面に雌ねじが形成されたねじ孔２２が設けられていてもよく、これにより、ゲート本体２への突張具３や自立具４の取り付けが容易に行える。
【００２３】
上記突張具３は、ゲート本体２の両側端部に着脱可能に設けられ、廊下の対向壁間や出入口の枠間で突っ張ることによりゲート本体２を起立状態で保持するためのものである。突張具３としては、特に限定するものではなく、例えば、図４（ａ）に示すようなものや図５（ａ）に示すようなものなどがあげられる。
【００２４】
上記前者の突張具３は、外面に雄ねじが形成されたねじ部３１と、このねじ部３１の一端に一体的に設けられた円盤状の当接部３２と、内面に形成された雌ねじがねじ部３１に螺合された調整ハンドル３３とからなり、また、ねじ部３１の他端はゲート本体２の側端部に設けられた取付孔２１に摺動自在に挿入しうる外径とされている。この場合のゲート１Ａの設置方法は、ゲート本体２の両側端部に設けられた取付孔２１に突張具３のねじ部３１の他端を摺動自在に挿入し（図４（ａ）上部参照）、廊下の対向壁間５などにゲート１Ａを置いた後、当接部３２がゲート本体２の側端部から離れる方向に調整ハンドル３３を回転させることで当接部３２が壁５を圧接し、廊下の対向壁５を突っ張った状態でゲート１Ａが固定される（図４（ａ）下部参照）。
【００２５】
また、上記後者の突張具３は、外面に雄ねじが形成されたねじ部３１と、このねじ部３１の一端に一体的に設けられた円盤状の当接部３２と、このねじ部３１の外面の所定位置に一体的に設けられた調整用ナット３４とからなり、ねじ部３１の他端はゲート本体２の側端部に設けられたねじ孔２２に螺合しうる外径とされている。この場合のゲート１Ａの設置方法は、ゲート本体２の両側端部に設けられたねじ孔２２に突張具３のねじ部３１の他端を螺合し（図５（ａ）上部参照）、廊下の対向壁間５などにゲート１Ａを置いた後、当接部３２がゲート本体２の側端部から離れる方向に調整用ナット３４を回転させることで当接部３２が壁５を圧接し、廊下の対向壁５を突っ張った状態でゲート１Ａが固定される（図５（ａ）下部参照）。
【００２６】
上記自立具４は、ゲート本体２の適所に着脱可能に設けられ、ゲート本体２を床面上で自立させるためのものである。自立具４としては、ゲート本体２を床面上で自立させうる構造であれば、特に限定するものではなく、例えば、図２に示すように、前後方向に延びた支持脚をゲート本体２の両側端部の下方に設けるようなものなどがあげられる。
【００２７】
自立具４をゲート本体２に固定する方法としては、特に限定するものではなく、例えば、図４（ｂ）および図５（ｂ）に示すようなものなどがあげられる。これらの固定方法は、ゲート本体２に設けられた複数のねじ孔２２に、自立具４に設けられた貫通孔４１を介してビス４２を螺合させることで固定するものであり、上記後者の固定方法の場合には、さらに、ねじ孔２２を突張具３および自立具４の取り付けのために共通して用いることができるようにしたものである（図５（ｂ）参照）。
【００２８】
次に、図１に示される突張具が取り付けられたゲートについてその設置方法を説明する。
【００２９】
まず、廊下の対向壁間や出入口の枠間の間隔よりもゲート本体２の幅寸法が僅かに狭くなるように調節する。このゲート本体２は、２個の分割体２ａ，２ｂより構成されており、これら分割体２ａ，２ｂを一部重ね合わせ、それぞれを複数のビス２３で固定することで幅寸法が設定される。
【００３０】
次に、図４（ａ）上部に示すように、ゲート本体２の両側端部に２つずつ設けられた取付孔２１に、突張具３のねじ部３１を摺動自在にそれぞれ挿入し、その状態のままゲート１Ａを廊下の対向壁間や出入口の枠間に起立状態で保持する。
【００３１】
次に、図４（ａ）下部に示すように、突張具３の当接部３２がゲート本体２の側端部から離れる方向に調整ハンドル３３を回転させ、それぞれの突張具３の当接部３２を廊下の対向壁や出入口の枠に当接させる。
【００３２】
その後、さらに突張具３の調整ハンドル３３を回転させて、それぞれの当接部３２が対抗壁５を略均一な力で押圧するように調節することで、ゲート１Ａを廊下の対向壁間や出入口の枠間に突っ張った状態で設置される。
【００３３】
次に、図２に示される自立具が取り付けられたゲートについてその設置方法を説明する。
【００３４】
まず、廊下の対向壁間や出入口の枠間の間隔と略同じになるようにゲート本体２の幅寸法を調節する。このゲート本体２は、２個の分割体２ａ，２ｂより構成されており、これら分割体２ａ，２ｂを一部重ね合わせ、それぞれを複数のビス２３で固定することで幅寸法が設定される。
【００３５】
次に、図４（ｂ）に示すように、ゲート本体２の両側端部に２つずつ設けられたねじ孔２２に、自立具４の貫通孔４１を介してビス４２をそれぞれ螺合させる。これにより、自立具４がゲート本体２の両側端部に固定されてゲート１Ｂが自立状態になり、和室の出入口や玄関などにこのゲート１Ｂを据え置くことで設置される。
【図面の簡単な説明】
【００３６】
【図１】本発明における突張具による起立状態のゲートを示す斜視図である。
【図２】本発明における自立具による自立状態のゲートを示す斜視図である。
【図３】ゲート本体を示す斜視図である。
【図４】突張具および自立具の取付構造を示す部分断面図である。
【図５】突張具および自立具の他の取付構造を示す部分断面図である。
【符号の説明】
【００３７】
１Ａ        突張具による起立状態のゲート
１Ｂ        自立具による自立状態のゲート
２          ゲート本体
２１        取付孔
２２        ねじ孔
２３        ビス
３          突張具
３１        ねじ部
３２        当接部
３３        調整ハンドル
３４        調整用ナット
４          自立具
４１        貫通孔
４２        ビス
【図１】
2007151915.tif 000003
【図２】
2007151915.tif 000004
【図３】
2007151915.tif 000005
【図４】
2007151915.tif 000006
【図５】
2007151915.tif 000007
【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
家屋内の廊下や部屋の出入口に設置され、犬の通行を遮断する犬用ゲートにおいて、
幅寸法が前記設置箇所における通行幅と略同じか若しくは僅かに狭く形成されるとともに、両側端部に取付孔及びねじ孔がそれぞれ設けられたゲート本体と、
外面に雄ねじが形成されたねじ部、このねじ部の一端に一体的に設けられた当接部、及び、内面に形成された雌ねじが前記ねじ部に螺合された調整ハンドルを有し、前記ねじ部の他端が前記ゲートの取付孔に着脱可能に挿入され前記調整ハンドルを回転させて前記廊下の対向壁間や出入口の枠間で突っ張ることにより前記ゲート本体を起立状態で保持する突張具と、
前記ゲート本体の両側端部に前記ねじ孔を介して着脱可能に設けられ、前記ゲート本体を床面上で自立させる自立具とを備え、
前記ゲートの設置態様が、前記突張具による起立状態と前記自立具による自立状態のいずれかから選択可能とされたことを特徴とする犬用ゲート。
【請求項２】
家屋内の廊下や部屋の出入口に設置され、犬の通行を遮断する犬用ゲートにおいて、
幅寸法が前記設置箇所における通行幅と略同じか若しくは僅かに狭く形成されるとともに、両側端部にねじ孔がそれぞれ設けられたゲート本体と、
外面に雄ねじが形成されたねじ部、このねじ部の一端に一体的に設けられた当接部、及び、前記ねじ部の外面の所定位置に一体的に設けられた調整用ナットを有し、前記ねじ部の他端が前記ねじ孔に着脱可能に螺合され前記調整用ナットを回転させて前記廊下の対向壁間や出入口の枠間で突っ張ることにより前記ゲート本体を起立状態で保持する突張具と、
前記ゲート本体の両側端部に前記ねじ孔を介して着脱可能に設けられ、前記ゲート本体を床面上で自立させる自立具とを備え、
前記ゲートの設置態様が、前記突張具による起立状態と前記自立具による自立状態のいずれかから選択可能とされたことを特徴とする犬用ゲート。
【請求項３】
前記ゲート本体は、その長手方向に伸縮可能とされたことを特徴とする請求項１または２に記載の犬用ゲート。
【手続補正２】
【補正対象書類名】明細書
【補正対象項目名】全文
【補正方法】変更
【補正の内容】
【発明の詳細な説明】
【技術分野】
【０００１】
本発明は、家屋内の廊下や部屋の出入口に設置され、犬の通行を遮断する犬用ゲートに関する。
【背景技術】
【０００２】
従来から、家屋内において、台所や階段など、幼児や愛玩動物にとって危険な場所や侵入が好ましくない場所に幼児などが近づくのを防止するため、これらの場所に通じる通路の通行を遮断するためのゲートが種々提案されている。
【０００３】
このようなゲートとしては、設置箇所の通行幅より幅寸法が僅かに狭く形成されたゲート本体と、このゲート本体の両側端部に設けられ、廊下の対向壁間や出入口の枠間で突っ張ることによりゲート本体を起立状態で保持する突張具とからなる突張型のゲートが一般的であり、例えば特許文献１に提案されているものがある。この突張型のゲートは、廊下の対向壁間などを突っ張ることで設置箇所にしっかりと固定できるので、幼児や愛玩動物の通行を確実に遮断でき安全を確保することができる。
【０００４】
ところで、和室に犬が侵入した場合、爪によって畳の表面を傷めてしまうことがあるため、和室の出入口にゲートを設置することが望まれる。ここで、和室の出入口は、上部の鴨居、下部の敷居、および、側方の２本の柱によって開口部が形成され、引き違いの障子や襖がその開口部に摺動自在に取り付けられた構造となったものが一般的である。この和室の出入口に突張型のゲートを設置するには、障子や襖を開放した状態で、障子や襖の側端部と開口部の側方の柱とでゲートを突っ張って設置する必要がある。しかしながら、障子や襖は、側端部の強度が弱いだけでなく、開口部から比較的容易に外れてしまう構造であるので、突張型のゲートは、和室の出入口にしっかりと固定することができず、一定の力が負荷されただけで外れたり倒れたりして危険であった。
【０００５】
また、犬が玄関の土間に下りたり、また、玄関口から外に逃げ出したりすることを防ぐため、玄関の上がり口へのゲートの設置が望まれる。この玄関の上がり口は、廊下などの通路よりも対向壁の間隔が広い場合が多いため、このような場所に突張型のゲートを設置するには、ゲート本体の幅寸法を大きくすることが考えられる。しかしながら、ゲート本体の幅寸法が大きいと、突張型のゲートを玄関の上がり口の対向壁間に設置した場合、一定の力が負荷されただけで、対向壁間から外れて倒れてしまう虞があるため危険であった。
【０００６】
従って、上述したような和室の出入口や玄関の上がり口などには、自立型のゲートが用いられている。この自立型のゲートは、設置箇所の通行幅と幅寸法が略同じに形成されたゲート本体と、このゲート本体の適所に設けられ、ゲート本体を床面上で自立させる自立具とを備えたものである。この自立型のゲートは、床面上に据え置くだけでほとんどの場所に設置することができる。
【特許文献１】特開２０００−２４５５８３号公報
【発明の開示】
【発明が解決しようとする課題】
【０００７】
しかしながら、従来のゲートにあっては、突張型のものも自立型のものもそれぞれ使用形態が単一に限られているため、突張型のものを自立型として流用したりすることができず、またその逆も同様に行うことはできなかった。このため、引越しや増改築などで家屋の間取りが変わってしまった場合や、ゲートのタイプを変更したい場合には、それまで使用していたタイプのゲートが使用できないことから、もう一つ余分にゲートを購入する必要が生じ、経済的ではなかった。
【０００８】
また、自立型のゲートは床面上に据え置くだけの構造であるので、突張型のゲートを設置する箇所に自立型のゲートを設置することも考えられるが、自立型のゲートは設置場所に固定できる構造とはなっておらず、このため容易に動いてしまうことから、突張型のゲートに比べると犬の通行を確実に遮断することができない。したがって、ゲートの確実な固定が望まれる設置場所には、自立型のゲートではなく突張型のゲートを設置せざるを得ず、結局はゲートを新たに購入する必要があり経済的ではなかった。
【０００９】
本発明は係る実情に鑑みてなされたもので、その目的は、突張型及び自立型の両方の設置形態にこれ一つで対応することのできる犬用ゲートを提供することにある。
【課題を解決するための手段】
【００１０】
上記課題を解決するため、本発明の犬用ゲートは、家屋内の廊下や部屋の出入口に設置され、犬の通行を遮断する犬用ゲートにおいて、幅寸法が前記設置箇所における通行幅と略同じか若しくは僅かに狭く形成されるとともに、両側端部に取付孔及びねじ孔がそれぞれ設けられたゲート本体と、外面に雄ねじが形成されたねじ部、このねじ部の一端に一体的に設けられた当接部、及び、内面に形成された雌ねじが前記ねじ部に螺合された調整ハンドルを有し、前記ねじ部の他端が前記ゲートの取付孔に着脱可能に挿入され前記調整ハンドルを回転させて前記廊下の対向壁間や出入口の枠間で突っ張ることにより前記ゲート本体を起立状態で保持する突張具と、前記ゲート本体の両側端部に前記ねじ孔を介して着脱可能に設けられ、前記ゲート本体を床面上で自立させる自立具とを備え、前記ゲートの設置態様が、前記突張具による起立状態と前記自立具による自立状態のいずれかから選択可能とされたことを特徴とする。
【００１１】
また、本発明の犬用ゲートは、家屋内の廊下や部屋の出入口に設置され、犬の通行を遮断する犬用ゲートにおいて、幅寸法が前記設置箇所における通行幅と略同じか若しくは僅かに狭く形成されるとともに、両側端部にねじ孔がそれぞれ設けられたゲート本体と、外面に雄ねじが形成されたねじ部、このねじ部の一端に一体的に設けられた当接部、及び、前記ねじ部の外面の所定位置に一体的に設けられた調整用ナットを有し、前記ねじ部の他端が前記ねじ孔に着脱可能に螺合され前記調整用ナットを回転させて前記廊下の対向壁間や出入口の枠間で突っ張ることにより前記ゲート本体を起立状態で保持する突張具と、前記ゲート本体の両側端部に前記ねじ孔を介して着脱可能に設けられ、前記ゲート本体を床面上で自立させる自立具とを備え、
前記ゲートの設置態様が、前記突張具による起立状態と前記自立具による自立状態のいずれかから選択可能とされたことを特徴とする。
【００１２】
このような本発明によると、突張具による起立状態と自立具による自立状態とのいずれかの設置状態が選択可能とされたものであるから、廊下、階段の上り口、または、洋室の出入口など対向壁や出入口の枠がしっかりしている場所に犬用ゲートを設置する場合、突張具による起立状態とし、また、和室の出入口や玄関など突っ張ることが困難な場所に犬用ゲートを設置する場合、自立具による自立状態とすることができる。
【００１３】
従って、家屋内の様々な場所に犬用ゲートを設置することができる。
【００１４】
また、この犬用ゲートは、設置態様を起立状態または自立状態として設置していた場合でも、もう一方の状態に変更して流用するといったことが可能であるので、従来の犬用ゲートとは異なり、設置形態の変更に伴って新たな犬用ゲートを購入する必要がなくその分経済的である。
【００１５】
また、ゲート本体は、長手方向に伸縮自在とされたものであってもよい。
【００１６】
この場合、家屋内の廊下や部屋の出入口の幅に応じてゲート本体を長手方向に伸縮させて調節することができるので、様々な幅の廊下や部屋の出入口に犬用ゲートを対応させて設置することができる。
【発明の効果】
【００１７】
本発明の犬用ゲートは、突張型又は自立型のいずれの設置形態でも任意に選択することができるため、家屋内の廊下や部屋の出入口に、望まれる設置形態で設置することができるといった効果を奏する。
【発明を実施するための最良の形態】
【００１８】
以下、本発明の実施の形態について、図面を参照して説明する。
【００１９】
図１および図２は、本実施の形態における犬用ゲートの突張具による起立状態および自立具による自立状態をそれぞれ示す斜視図である。
【００２０】
本実施の形態の犬用ゲートは、ゲート本体２と、突張具３と、自立具４とを備えている。
【００２１】
上記ゲート本体２は、図３に示すように、幅寸法が、設置箇所における通行幅と略同じか若しくは僅かに狭く形成されたものである。ゲート本体２の形態としては、犬が通り抜けないようにされていれば特に限定するものではなく、例えば、板状のもの、格子状のもの、または、それらを組み合わせたものなどがあげられ、また、扉が設けられていてもよい。また、ゲート本体２の材質としては、特に限定するものではなく、例えば、木、プラスチック、金属をそれぞれ単体で用いたものやそれらを組み合わせたものなどを用いることができる。
【００２２】
また、ゲート本体２は、長手方向に伸縮自在な構造とされることが好ましく、この場合、家屋内の様々な通路や出入口の幅に犬用ゲートを対応させることができる。ゲート本体２の伸縮機構としては、特に限定するものではなく、例えば、図３に示すように、ゲート本体２を２個の分割体２ａ，２ｂで構成し、これらの分割体２ａ，２ｂをずらした状態で重ね合わせてビス２３で固定したもの、または、２個又は３個以上の分割体を相互にスライド自在に連結したものなどがあげられる。なお、図中の符号２４は、一方の分割体２ａに形成されたビス挿通孔を、また２５は、他方の分割体２ｂに形成された、ビス２３と螺合するねじ孔をそれぞれ示す。
【００２３】
さらに、ゲート本体２には、後述する突張具３や自立具４を取り付けるために、両側端部に
取付孔２１やねじ孔２２が設けられている。これにより、ゲート本体２への突張具３や自立具４の取り付けが容易に行える。
【００２４】
上記突張具３は、ゲート本体２の両側端部に着脱可能に設けられ、廊下の対向壁間や出入口の枠間で突っ張ることによりゲート本体２を起立状態で保持するためのものである。突張具３としては、図４（ａ）に示すようなものや図５（ａ）に示すようなものが用いられる。
【００２５】
上記前者の突張具３は、外面に雄ねじが形成されたねじ部３１と、このねじ部３１の一端に一体的に設けられた円盤状の当接部３２と、内面に形成された雌ねじがねじ部３１に螺合された調整ハンドル３３とからなり、また、ねじ部３１の他端はゲート本体２の側端部に設けられた取付孔２１に摺動自在に挿入しうる外径とされている。この場合の犬用ゲート１Ａの設置方法は、ゲート本体２の両側端部に設けられた取付孔２１に突張具３のねじ部３１の他端を摺動自在に挿入し（図４（ａ）上部参照）、廊下の対向壁間５などに犬用ゲート１Ａを置いた後、当接部３２がゲート本体２の側端部から離れる方向に調整ハンドル３３を回転させることで当接部３２が壁５を圧接し、廊下の対向壁５を突っ張った状態で犬用ゲート１Ａが固定される（図４（ａ）下部参照）。
【００２６】
また、上記後者の突張具３は、外面に雄ねじが形成されたねじ部３１と、このねじ部３１の一端に一体的に設けられた円盤状の当接部３２と、このねじ部３１の外面の所定位置に一体的に設けられた調整用ナット３４とからなり、ねじ部３１の他端はゲート本体２の側端部に設けられたねじ孔２２に螺合しうる外径とされている。この場合の犬用ゲート１Ａの設置方法は、ゲート本体２の両側端部に設けられたねじ孔２２に突張具３のねじ部３１の他端を螺合し（図５（ａ）上部参照）、廊下の対向壁間５などに犬用ゲート１Ａを置いた後、当接部３２がゲート本体２の側端部から離れる方向に調整用ナット３４を回転させることで当接部３２が壁５を圧接し、廊下の対向壁５を突っ張った状態で犬用ゲート１Ａが固定される（図５（ａ）下部参照）。
【００２７】
上記自立具４は、ゲート本体２の両側端部に着脱可能に設けられ、ゲート本体２を床面上で自立させるためのものである。自立具４としては、ゲート本体２を床面上で自立させうる構造であれば、特に限定するものではなく、例えば、図２に示すように、前後方向に延びた支持脚をゲート本体２の両側端部の下方に設けるようなものなどがあげられる。
【００２８】
自立具４をゲート本体２に固定する方法としては、図４（ｂ）および図５（ｂ）に示すようなものが用いられる。これらの固定方法は、ゲート本体２に設けられた複数のねじ孔２２に、自立具４に設けられた貫通孔４１を介して固定用ボルト４２を螺合させることで固定するものであり、上記後者の固定方法の場合には、さらに、ねじ孔２２を突張具３および自立具４の取り付けのために共通して用いることができるようにしたものである（図５（ｂ）参照）。
【００２９】
次に、図１に示される突張具が取り付けられた犬用ゲートについてその設置方法を説明する。
【００３０】
まず、廊下の対向壁間や出入口の枠間の間隔よりもゲート本体２の幅寸法が僅かに狭くなるように調節する。このゲート本体２は、２個の分割体２ａ，２ｂより構成されており、これら分割体２ａ，２ｂを一部重ね合わせ、それぞれを複数のビス２３で固定することで幅寸法が設定される。
【００３１】
次に、図４（ａ）上部に示すように、ゲート本体２の両側端部に２つずつ設けられた取付孔２１に、突張具３のねじ部３１を摺動自在にそれぞれ挿入し、その状態のまま犬用ゲート１Ａを廊下の対向壁間や出入口の枠間に起立状態で保持する。
【００３２】
次に、図４（ａ）下部に示すように、突張具３の当接部３２がゲート本体２の側端部から離れる方向に調整ハンドル３３を回転させ、それぞれの突張具３の当接部３２を廊下の対向壁や出入口の枠に当接させる。
【００３３】
その後、さらに突張具３の調整ハンドル３３を回転させて、それぞれの当接部３２が対抗壁５を略均一な力で押圧するように調節することで、犬用ゲート１Ａを廊下の対向壁間や出入口の枠間に突っ張った状態で設置される。
【００３４】
次に、図２に示される自立具が取り付けられた犬用ゲートについてその設置方法を説明する。
【００３５】
まず、廊下の対向壁間や出入口の枠間の間隔と略同じになるようにゲート本体２の幅寸法を調節する。このゲート本体２は、２個の分割体２ａ，２ｂより構成されており、これら分割体２ａ，２ｂを一部重ね合わせ、それぞれを複数のビス２３で固定することで幅寸法が設定される。
【００３６】
次に、図４（ｂ）に示すように、ゲート本体２の両側端部に２つずつ設けられたねじ孔２２に、自立具４の貫通孔４１を介して固定用ボルト４２をそれぞれ螺合させる。これにより、自立具４がゲート本体２の両側端部に固定されて犬用ゲート１Ｂが自立状態になり、和室の出入口や玄関などにこの犬用ゲート１Ｂを据え置くことで設置される。
【図面の簡単な説明】
【００３７】
【図１】本発明における突張具による起立状態の犬用ゲートを示す斜視図である。
【図２】本発明における自立具による自立状態の犬用ゲートを示す斜視図である。
【図３】ゲート本体を示す斜視図である。
【図４】突張具および自立具の取付構造を示す部分断面図である。
【図５】突張具および自立具の他の取付構造を示す部分断面図である。
【符号の説明】
【００３８】
１Ａ        突張具による起立状態の犬用ゲート
１Ｂ        自立具による自立状態の犬用ゲート
２          ゲート本体
２１        取付孔
２２        ねじ孔
２３        ビス
３          突張具
３１        ねじ部
３２        当接部
３３        調整ハンドル
３４        調整用ナット
４          自立具
４１        貫通孔
４２        固定用ボルト
【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
家屋内の廊下や部屋の出入口に設置され、愛玩動物の通行を遮断する愛玩動物用ゲートにおいて、
幅寸法が前記設置箇所における通行幅と略同じか若しくは僅かに狭く形成されるとともに、両側端部に取付孔及びねじ孔がそれぞれ設けられたゲート本体と、
外面に雄ねじが形成されたねじ部、このねじ部の一端に一体的に設けられた当接部、及び、内面に形成された雌ねじが前記ねじ部に螺合された調整ハンドルを有し、前記ねじ部の他端が前記ゲートの取付孔に着脱可能に挿入され前記調整ハンドルを回転させて前記廊下の対向壁間や出入口の枠間で突っ張ることにより前記ゲート本体を起立状態で保持する突張具と、
前記ゲート本体の両側端部に前記ねじ孔を介して着脱可能に設けられ、前記ゲート本体を床面上で自立させる自立具とを備え、
前記ゲートの設置態様が、前記突張具による起立状態と前記自立具による自立状態のいずれかから選択可能とされたことを特徴とする愛玩動物用ゲート。
【請求項２】
家屋内の廊下や部屋の出入口に設置され、愛玩動物の通行を遮断する愛玩動物用ゲートにおいて、
幅寸法が前記設置箇所における通行幅と略同じか若しくは僅かに狭く形成されるとともに、両側端部にねじ孔がそれぞれ設けられたゲート本体と、
外面に雄ねじが形成されたねじ部、このねじ部の一端に一体的に設けられた当接部、及び、前記ねじ部の外面の所定位置に一体的に設けられた調整用ナットを有し、前記ねじ部の他端が前記ねじ孔に着脱可能に螺合され前記調整用ナットを回転させて前記廊下の対向壁間や出入口の枠間で突っ張ることにより前記ゲート本体を起立状態で保持する突張具と、
前記ゲート本体の両側端部に前記ねじ孔を介して着脱可能に設けられ、前記ゲート本体を床面上で自立させる自立具とを備え、
前記ゲートの設置態様が、前記突張具による起立状態と前記自立具による自立状態のいずれかから選択可能とされたことを特徴とする愛玩動物用ゲート。
【請求項３】
前記ゲート本体は、その長手方向に伸縮可能とされたことを特徴とする請求項１または２に記載の愛玩動物用ゲート。
【手続補正２】
【補正対象書類名】明細書
【補正対象項目名】全文
【補正方法】変更
【補正の内容】
【発明の詳細な説明】
【技術分野】
【０００１】
本発明は、家屋内の廊下や部屋の出入口に設置され、愛玩動物の通行を遮断する愛玩動物用ゲートに関する。
【背景技術】
【０００２】
従来から、家屋内において、台所や階段など、幼児や愛玩動物にとって危険な場所や侵入が好ましくない場所に幼児などが近づくのを防止するため、これらの場所に通じる通路の通行を遮断するためのゲートが種々提案されている。
【０００３】
このようなゲートとしては、設置箇所の通行幅より幅寸法が僅かに狭く形成されたゲート本体と、このゲート本体の両側端部に設けられ、廊下の対向壁間や出入口の枠間で突っ張ることによりゲート本体を起立状態で保持する突張具とからなる突張型のゲートが一般的であり、例えば特許文献１に提案されているものがある。この突張型のゲートは、廊下の対向壁間などを突っ張ることで設置箇所にしっかりと固定できるので、幼児や愛玩動物の通行を確実に遮断でき安全を確保することができる。
【０００４】
ところで、和室に愛玩動物が侵入した場合、爪によって畳の表面を傷めてしまうことがあるため、和室の出入口にゲートを設置することが望まれる。ここで、和室の出入口は、上部の鴨居、下部の敷居、および、側方の２本の柱によって開口部が形成され、引き違いの障子や襖がその開口部に摺動自在に取り付けられた構造となったものが一般的である。この和室の出入口に突張型のゲートを設置するには、障子や襖を開放した状態で、障子や襖の側端部と開口部の側方の柱とでゲートを突っ張って設置する必要がある。しかしながら、障子や襖は、側端部の強度が弱いだけでなく、開口部から比較的容易に外れてしまう構造であるので、突張型のゲートは、和室の出入口にしっかりと固定することができず、一定の力が負荷されただけで外れたり倒れたりして危険であった。
【０００５】
また、愛玩動物が玄関の土間に下りたり、また、玄関口から外に逃げ出したりすることを防ぐため、玄関の上がり口へのゲートの設置が望まれる。この玄関の上がり口は、廊下などの通路よりも対向壁の間隔が広い場合が多いため、このような場所に突張型のゲートを設置するには、ゲート本体の幅寸法を大きくすることが考えられる。しかしながら、ゲート本体の幅寸法が大きいと、突張型のゲートを玄関の上がり口の対向壁間に設置した場合、一定の力が負荷されただけで、対向壁間から外れて倒れてしまう虞があるため危険であった。
【０００６】
従って、上述したような和室の出入口や玄関の上がり口などには、自立型のゲートが用いられている。この自立型のゲートは、設置箇所の通行幅と幅寸法が略同じに形成されたゲート本体と、このゲート本体の適所に設けられ、ゲート本体を床面上で自立させる自立具とを備えたものである。この自立型のゲートは、床面上に据え置くだけでほとんどの場所に設置することができる。
【特許文献１】特開２０００−２４５５８３号公報
【発明の開示】
【発明が解決しようとする課題】
【０００７】
しかしながら、従来のゲートにあっては、突張型のものも自立型のものもそれぞれ使用形態が単一に限られているため、突張型のものを自立型として流用したりすることができず、またその逆も同様に行うことはできなかった。このため、引越しや増改築などで家屋の間取りが変わってしまった場合や、ゲートのタイプを変更したい場合には、それまで使用していたタイプのゲートが使用できないことから、もう一つ余分にゲートを購入する必要が生じ、経済的ではなかった。
【０００８】
また、自立型のゲートは床面上に据え置くだけの構造であるので、突張型のゲートを設置する箇所に自立型のゲートを設置することも考えられるが、自立型のゲートは設置場所に固定できる構造とはなっておらず、このため容易に動いてしまうことから、突張型のゲートに比べると愛玩動物の通行を確実に遮断することができない。したがって、ゲートの確実な固定が望まれる設置場所には、自立型のゲートではなく突張型のゲートを設置せざるを得ず、結局はゲートを新たに購入する必要があり経済的ではなかった。
【０００９】
本発明は係る実情に鑑みてなされたもので、その目的は、突張型及び自立型の両方の設置形態にこれ一つで対応することのできる愛玩動物用ゲートを提供することにある。
【課題を解決するための手段】
【００１０】
上記課題を解決するため、本発明の愛玩動物用ゲートは、家屋内の廊下や部屋の出入口に設置され、愛玩動物の通行を遮断する愛玩動物用ゲートにおいて、幅寸法が前記設置箇所における通行幅と略同じか若しくは僅かに狭く形成されるとともに、両側端部に取付孔及びねじ孔がそれぞれ設けられたゲート本体と、外面に雄ねじが形成されたねじ部、このねじ部の一端に一体的に設けられた当接部、及び、内面に形成された雌ねじが前記ねじ部に螺合された調整ハンドルを有し、前記ねじ部の他端が前記ゲートの取付孔に着脱可能に挿入され前記調整ハンドルを回転させて前記廊下の対向壁間や出入口の枠間で突っ張ることにより前記ゲート本体を起立状態で保持する突張具と、前記ゲート本体の両側端部に前記ねじ孔を介して着脱可能に設けられ、前記ゲート本体を床面上で自立させる自立具とを備え、前記ゲートの設置態様が、前記突張具による起立状態と前記自立具による自立状態のいずれかから選択可能とされたことを特徴とする。
【００１１】
また、本発明の愛玩動物用ゲートは、家屋内の廊下や部屋の出入口に設置され、愛玩動物の通行を遮断する愛玩動物用ゲートにおいて、幅寸法が前記設置箇所における通行幅と略同じか若しくは僅かに狭く形成されるとともに、両側端部にねじ孔がそれぞれ設けられたゲート本体と、外面に雄ねじが形成されたねじ部、このねじ部の一端に一体的に設けられた当接部、及び、前記ねじ部の外面の所定位置に一体的に設けられた調整用ナットを有し、前記ねじ部の他端が前記ねじ孔に着脱可能に螺合され前記調整用ナットを回転させて前記廊下の対向壁間や出入口の枠間で突っ張ることにより前記ゲート本体を起立状態で保持する突張具と、前記ゲート本体の両側端部に前記ねじ孔を介して着脱可能に設けられ、前記ゲート本体を床面上で自立させる自立具とを備え、
前記ゲートの設置態様が、前記突張具による起立状態と前記自立具による自立状態のいずれかから選択可能とされたことを特徴とする。
【００１２】
このような本発明によると、突張具による起立状態と自立具による自立状態とのいずれかの設置状態が選択可能とされたものであるから、廊下、階段の上り口、または、洋室の出入口など対向壁や出入口の枠がしっかりしている場所に愛玩動物用ゲートを設置する場合、突張具による起立状態とし、また、和室の出入口や玄関など突っ張ることが困難な場所に愛玩動物用ゲートを設置する場合、自立具による自立状態とすることができる。
【００１３】
従って、家屋内の様々な場所に愛玩動物用ゲートを設置することができる。
【００１４】
また、この愛玩動物用ゲートは、設置態様を起立状態または自立状態として設置していた場合でも、もう一方の状態に変更して流用するといったことが可能であるので、従来の愛玩動物用ゲートとは異なり、設置形態の変更に伴って新たな愛玩動物用ゲートを購入する必要がなくその分経済的である。
【００１５】
また、ゲート本体は、長手方向に伸縮自在とされたものであってもよい。
【００１６】
この場合、家屋内の廊下や部屋の出入口の幅に応じてゲート本体を長手方向に伸縮させて調節することができるので、様々な幅の廊下や部屋の出入口に愛玩動物用ゲートを対応させて設置することができる。
【発明の効果】
【００１７】
本発明の愛玩動物用ゲートは、突張型又は自立型のいずれの設置形態でも任意に選択することができるため、家屋内の廊下や部屋の出入口に、望まれる設置形態で設置することができるといった効果を奏する。
【発明を実施するための最良の形態】
【００１８】
以下、本発明の実施の形態について、図面を参照して説明する。
【００１９】
図１および図２は、本実施の形態における愛玩動物用ゲートの突張具による起立状態および自立具による自立状態をそれぞれ示す斜視図である。
【００２０】
本実施の形態の愛玩動物用ゲートは、ゲート本体２と、突張具３と、自立具４とを備えている。
【００２１】
上記ゲート本体２は、図３に示すように、幅寸法が、設置箇所における通行幅と略同じか若しくは僅かに狭く形成されたものである。ゲート本体２の形態としては、愛玩動物が通り抜けないようにされていれば特に限定するものではなく、例えば、板状のもの、格子状のもの、または、それらを組み合わせたものなどがあげられ、また、扉が設けられていてもよい。また、ゲート本体２の材質としては、特に限定するものではなく、例えば、木、プラスチック、金属をそれぞれ単体で用いたものやそれらを組み合わせたものなどを用いることができる。
【００２２】
また、ゲート本体２は、長手方向に伸縮自在な構造とされることが好ましく、この場合、家屋内の様々な通路や出入口の幅に愛玩動物用ゲートを対応させることができる。ゲート本体２の伸縮機構としては、特に限定するものではなく、例えば、図３に示すように、ゲート本体２を２個の分割体２ａ，２ｂで構成し、これらの分割体２ａ，２ｂをずらした状態で重ね合わせてビス２３で固定したもの、または、２個又は３個以上の分割体を相互にスライド自在に連結したものなどがあげられる。なお、図中の符号２４は、一方の分割体２ａに形成されたビス挿通孔を、また２５は、他方の分割体２ｂに形成された、ビス２３と螺合するねじ孔をそれぞれ示す。
【００２３】
さらに、ゲート本体２には、後述する突張具３や自立具４を取り付けるために、両側端部に取付孔２１やねじ孔２２が設けられている。これにより、ゲート本体２への突張具３や自立具４の取り付けが容易に行える。
【００２４】
上記突張具３は、ゲート本体２の両側端部に着脱可能に設けられ、廊下の対向壁間や出入口の枠間で突っ張ることによりゲート本体２を起立状態で保持するためのものである。突張具３としては、図４（ａ）に示すようなものや図５（ａ）に示すようなものが用いられる。
【００２５】
上記前者の突張具３は、外面に雄ねじが形成されたねじ部３１と、このねじ部３１の一端に一体的に設けられた円盤状の当接部３２と、内面に形成された雌ねじがねじ部３１に螺合された調整ハンドル３３とからなり、また、ねじ部３１の他端はゲート本体２の側端部に設けられた取付孔２１に摺動自在に挿入しうる外径とされている。この場合の愛玩動物用ゲート１Ａの設置方法は、ゲート本体２の両側端部に設けられた取付孔２１に突張具３のねじ部３１の他端を摺動自在に挿入し（図４（ａ）上部参照）、廊下の対向壁間５などに愛玩動物用ゲート１Ａを置いた後、当接部３２がゲート本体２の側端部から離れる方向に調整ハンドル３３を回転させることで当接部３２が壁５を圧接し、廊下の対向壁５を突っ張った状態で愛玩動物用ゲート１Ａが固定される（図４（ａ）下部参照）。
【００２６】
また、上記後者の突張具３は、外面に雄ねじが形成されたねじ部３１と、このねじ部３１の一端に一体的に設けられた円盤状の当接部３２と、このねじ部３１の外面の所定位置に一体的に設けられた調整用ナット３４とからなり、ねじ部３１の他端はゲート本体２の側端部に設けられたねじ孔２２に螺合しうる外径とされている。この場合の愛玩動物用ゲート１Ａの設置方法は、ゲート本体２の両側端部に設けられたねじ孔２２に突張具３のねじ部３１の他端を螺合し（図５（ａ）上部参照）、廊下の対向壁間５などに愛玩動物用ゲート１Ａを置いた後、当接部３２がゲート本体２の側端部から離れる方向に調整用ナット３４を回転させることで当接部３２が壁５を圧接し、廊下の対向壁５を突っ張った状態で愛玩動物用ゲート１Ａが固定される（図５（ａ）下部参照）。
【００２７】
上記自立具４は、ゲート本体２の両側端部に着脱可能に設けられ、ゲート本体２を床面上で自立させるためのものである。自立具４としては、ゲート本体２を床面上で自立させうる構造であれば、特に限定するものではなく、例えば、図２に示すように、前後方向に延びた支持脚をゲート本体２の両側端部の下方に設けるようなものなどがあげられる。
【００２８】
自立具４をゲート本体２に固定する方法としては、図４（ｂ）および図５（ｂ）に示すようなものが用いられる。これらの固定方法は、ゲート本体２に設けられた複数のねじ孔２２に、自立具４に設けられた貫通孔４１を介して固定用ボルト４２を螺合させることで固定するものであり、上記後者の固定方法の場合には、さらに、ねじ孔２２を突張具３および自立具４の取り付けのために共通して用いることができるようにしたものである（図５（ｂ）参照）。
【００２９】
次に、図１に示される突張具が取り付けられた愛玩動物用ゲートについてその設置方法を説明する。
【００３０】
まず、廊下の対向壁間や出入口の枠間の間隔よりもゲート本体２の幅寸法が僅かに狭くなるように調節する。このゲート本体２は、２個の分割体２ａ，２ｂより構成されており、これら分割体２ａ，２ｂを一部重ね合わせ、それぞれを複数のビス２３で固定することで幅寸法が設定される。
【００３１】
次に、図４（ａ）上部に示すように、ゲート本体２の両側端部に２つずつ設けられた取付孔２１に、突張具３のねじ部３１を摺動自在にそれぞれ挿入し、その状態のまま愛玩動物用ゲート１Ａを廊下の対向壁間や出入口の枠間に起立状態で保持する。
【００３２】
次に、図４（ａ）下部に示すように、突張具３の当接部３２がゲート本体２の側端部から離れる方向に調整ハンドル３３を回転させ、それぞれの突張具３の当接部３２を廊下の対向壁や出入口の枠に当接させる。
【００３３】
その後、さらに突張具３の調整ハンドル３３を回転させて、それぞれの当接部３２が対抗壁５を略均一な力で押圧するように調節することで、愛玩動物用ゲート１Ａを廊下の対向壁間や出入口の枠間に突っ張った状態で設置される。
【００３４】
次に、図２に示される自立具が取り付けられた愛玩動物用ゲートについてその設置方法を説明する。
【００３５】
まず、廊下の対向壁間や出入口の枠間の間隔と略同じになるようにゲート本体２の幅寸法を調節する。このゲート本体２は、２個の分割体２ａ，２ｂより構成されており、これら分割体２ａ，２ｂを一部重ね合わせ、それぞれを複数のビス２３で固定することで幅寸法が設定される。
【００３６】
次に、図４（ｂ）に示すように、ゲート本体２の両側端部に２つずつ設けられたねじ孔２２に、自立具４の貫通孔４１を介して固定用ボルト４２をそれぞれ螺合させる。これにより、自立具４がゲート本体２の両側端部に固定されて愛玩動物用ゲート１Ｂが自立状態になり、和室の出入口や玄関などにこの愛玩動物用ゲート１Ｂを据え置くことで設置される。
【図面の簡単な説明】
【００３７】
【図１】本発明における突張具による起立状態の愛玩動物用ゲートを示す斜視図である。
【図２】本発明における自立具による自立状態の愛玩動物用ゲートを示す斜視図である。
【図３】ゲート本体を示す斜視図である。
【図４】突張具および自立具の取付構造を示す部分断面図である。
【図５】突張具および自立具の他の取付構造を示す部分断面図である。
【符号の説明】
【００３８】
１Ａ        突張具による起立状態の愛玩動物用ゲート
１Ｂ        自立具による自立状態の愛玩動物用ゲート
２          ゲート本体
２１        取付孔
２２        ねじ孔
２３        ビス
３          突張具
３１        ねじ部
３２        当接部
３３        調整ハンドル
３４        調整用ナット
４          自立具
４１        貫通孔
４２        固定用ボルト
【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
家屋内の廊下や部屋の出入口に設置され、愛玩動物の通行を遮断する愛玩動物用ゲートは、ゲート本体と、突張具と、自立具とを備え、
長手方向に伸縮可能となされたゲート本体は、長手方向の幅寸法が設置箇所における通行幅と略同じか若しくは僅かに狭く形成されるとともに、両側端部にねじ孔がそれぞれ設けられており、
この同じねじ孔を介して、
廊下の対向壁間や出入口の枠間にゲート本体を起立状態で保持する突張具と、ゲート本体を床面上で自立させる自立具とが、固定用ボルトを用いて、
選択的に着脱可能となされたことを特徴とする愛玩動物用ゲート。
【手続補正２】
【補正対象書類名】明細書
【補正対象項目名】００１０
【補正方法】変更
【補正の内容】
【００１０】
上記課題を解決するため、本発明の愛玩動物用ゲートは、家屋内の廊下や部屋の出入口に設置され、愛玩動物の通行を遮断する愛玩動物用ゲートは、ゲート本体と、突張具と、自立具とを備え、
長手方向に伸縮可能となされたゲート本体は、長手方向の幅寸法が設置箇所における通行幅と略同じか若しくは僅かに狭く形成されるとともに、両側端部にねじ孔がそれぞれ設けられており、
この同じねじ孔を介して、
廊下の対向壁間や出入口の枠間にゲート本体を起立状態で保持する突張具と、ゲート本体を床面上で自立させる自立具とが、固定用ボルトを用いて、
選択的に着脱可能となされたことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
本発明の愛玩動物用ゲートは、突張型又は自立型のいずれの設置形態でも任意に選択することができるため、家屋内の廊下や部屋の出入口に、望まれる設置形態で設置することができる。また、ゲート本体に設けられた、突張具と自立具とを選択的に取り付けるためのねじ孔を共通して用いることができるので、取り付け部材やねじ孔が少なく経済的なゲートであるなどといった効果を奏する。